(57)【要約】【課題】複数のスイッチを一体に組み合わせて、多位置スイッチ制御の要求がある製品の組み立ての利便性や製品の信頼性を高めたモジュール化スイッチ組立部品を提供する。【解決手段】本体と接続脚とからなるモジュール化スイッチ組立部品において、前記本体は少なくとも二つまたは二つ以上のスイッチハウジングを一度に射出成形して一体構造に構成し、前記本体内にはそれぞれ単一のスイッチ構造が設置され、各スイッチ構造の同極性の一つの接続脚は連結導体によって連結され、スイッチによってＯＮ／ＯＦＦされる他方の接続脚は独立に設置されている。【選択図】図１
0003146180.tif 000002
【実用新案登録請求の範囲】
【請求項１】
本体と接続脚とからなるモジュール化スイッチ組立部品において、前記本体は少なくとも二つまたは二つ以上のスイッチハウジングを一度に射出成形して一体構造に構成し、前記本体内にはそれぞれ単一のスイッチ構造が設置され、各スイッチ構造の同極性の一つの接続脚は連結導体によって連結され、スイッチによってＯＮ／ＯＦＦされる他方の接続脚は独立に設置されていることを特徴とするモジュール化スイッチ組立部品。
【請求項２】
請求項１に記載のモジュール化スイッチ組立部品において、前記連結導体に連結された接続脚と連結導体とは一体化成形構造であることを特徴とするモジュール化スイッチ組立部品。
【請求項３】
請求項２に記載のモジュール化スイッチ組立部品において、前記連結導体は一体化成形棒であることを特徴とするモジュール化スイッチ組立部品。
【請求項４】
請求項１に記載のモジュール化スイッチ組立部品において、前記独立に設置されている接続脚と連結される製品の導体部分とは製品の必要な導体形状に一体成形されていることを特徴とするモジュール化スイッチ組立部品。
【請求項５】
請求項１に記載のモジュール化スイッチ組立部品において、前記単一のスイッチの指示ランプを接続するリード脚は弾性導体または弾性導体に連結されている構造であることを特徴とするモジュール化スイッチ組立部品。
【請求項６】
請求項１に記載のモジュール化スイッチ組立部品において、前記単一のスイッチ構造はシーソースイッチ構造であることを特徴とするモジュール化スイッチ組立部品。
【請求項７】
請求項１に記載のモジュール化スイッチ組立部品において、前記単一のスイッチ構造はプッシュスイッチ構造であることを特徴とするモジュール化スイッチ組立部品。
【請求項８】
請求項１に記載のモジュール化スイッチ組立部品において、前記単一のスイッチ構造は回転スイッチ構造であることを特徴とするモジュール化スイッチ組立部品。
【考案の詳細な説明】
【技術分野】
【０００１】
本考案は組み合わせスイッチに関し、特に複数のスイッチ制御を有するスイッチ組立部品に関する。
【背景技術】
【０００２】
従来の複数のスイッチを単独に制御する製品はいずれも単一のスイッチが溶接またはリベット締めの方法によって製品の部品に連結されている。このような組み立ては複雑で、溶接またはリベット締めの連結方法は溶接不良または接続不良を引き起こしやすく、製品の品質と性能に影響を与えるとともに加工過程が複雑で加工コストが高い。
【考案の開示】
【考案が解決しようとする課題】
【０００３】
本考案は、接続される複数の単独に制御するスイッチを一体化構造に連結することで、製造コストを低減し、省エネと環境保護の目的を実現するモジュール化スイッチ組立部品を提供する。
【課題を解決するための手段】
【０００４】
上記の課題を解決するために、本考案は次のような技術案を採用する。本体と接続脚とからなるモジュール化スイッチ組立部品において、前記本体は少なくとも二つまたは二つ以上のスイッチハウジングを一度に射出成形して一体構造に構成し、前記本体内にはそれぞれ単一のスイッチ構造が設置され、各スイッチ構造の同極性の一つの接続脚は連結導体によって連結され、スイッチによってＯＮ／ＯＦＦされる他方の接続脚は独立に設置されている。
前記連結導体に連結された接続脚と連結導体とは一体化成形構造である。
前記連結導体は一体化成形棒である。
前記独立に設置されている接続脚と連結される製品の導体部分とは製品の必要な導体形状に一体成形されている。
前記単一のスイッチの指示ランプを接続するリード脚は弾性導体または弾性導体に連結されている構造である。
前記単一のスイッチ構造はシーソースイッチ構造である。
前記単一のスイッチ構造はプッシュスイッチ構造である。
前記単一のスイッチ構造は回転スイッチ構造である。
【考案の効果】
【０００５】
本考案は従来技術に比べて、複数のスイッチハウジングを射出成形によって一体に連結してモジュール本体を形成し、共用の同極性一体成形接続脚を使用することで、溶接やリベット締めの加工工程を省き、各スイッチのＯＮ／ＯＦＦと伝達構造はそのままで、構造が簡単で、作動が確実で、製造コストが安い特徴を有する。
【０００６】
上記した本考案の目的および利点並びに他の目的および利点は、以下の実施の形態の説明を通じてより明確に理解される。もっとも、以下に記述する実施の形態は例示であって、本考案はこれらに限定されるものではない。
【考案を実施するための最良の形態】
【０００７】
以下図面を参照しながら本考案について更なる説明をする。
図１と図２に示すように、本考案のモジュール化スイッチ組立部品は、本体１と接続脚２とからなり、前記本体は少なくとも二つまたは二つ以上のスイッチハウジングを一度に射出成形して一体構造に構成し、前記本体１内にはそれぞれ単一のスイッチ構造が設置され、各スイッチ構造の同極性の一つの接続脚は連結導体３によって連結され、スイッチによってＯＮ／ＯＦＦされる他方の接続脚は独立に設置されている。このような構造によって、本考案のモジュールスイッチの対応する製品の単独のスイッチ制御を実現する。図３に示すように、前記連結導体に連結される接続脚と連結導体３とは一体化成形構造で、前記連結導体３は一体化成形棒である。図４に示すように、前記独立に設置された接続脚２と連結される製品の導体部分とは製品に必要な導体形状に一体成形されている。
【０００８】
本考案の前記単一のスイッチ構造はシーソースイッチ構造であってもよいし、プッシュスイッチ構造または回転スイッチ構造であってもよい。前記単一のスイッチの指示ランプを接続するリード脚は弾性導体または弾性導体に連結されている構造である。
【０００９】
本考案について４つのスイッチの組み合わせを例にして詳しく説明する。従来のスイッチは一般的に単一の形式であるが、本考案は単一のスイッチのハウジングを射出成形によって複数のハウジングを一度に一体成形してモジュールスイッチ本体１を構成し（図２に示すように）、従来のスイッチＯＮ／ＯＦＦと伝達部品を用いて完全な多位置スイッチモジュールを構成する。
【００１０】
一般のスイッチはいずれも入力脚と出力脚とがあり、複数のスイッチがスイッチモジュールを構成する場合、製造工程を簡単にするために、図３に示すように、本考案は単一のスイッチの同極性接続脚を一体成形工程によって一体連結構造に形成することで、製品の使用において外部から当該導体を一度連結するだけでそれぞれのスイッチの同極性接続脚を一度で連結することを実現し、多位置スイッチの連結工程を簡略化し、連結の信頼性を高め、製品のコストを削減する。
【００１１】
図４に示すように、本考案は一つの多位置スイッチ制御のコンセントのソケットを例に、スイッチの他方の接続脚を一体成形することでスイッチモジュールを使用する製品の一つの部品と直接一体に形成し、本考案のモジュールスイッチを使用する製品の組み立て工程をさらに簡略化し、信頼性を高めるとともに、製品の構造をさらに簡単にし、低コスト、高信頼性、高効率の目的を実現する。
【産業上の利用可能性】
【００１２】
本考案は、構造が簡単で、製造コストが安く、信頼性が高いので、モジュールスイッチを使用する製品に適用する。
【図面の簡単な説明】
【００１３】
【図１】本考案の全体構造を示す略図である。
【図２】本考案の本体を示す略図である。
【図３】本考案の連結導体を示す略図である。
【図４】本考案の単独設置された接続脚を示す略図である。
【符号の説明】
【００１４】
１  本体
２  接続脚
３  連結導体
【図１】
0003146180.tif 000003
【図２】
0003146180.tif 000004
【図３】
0003146180.tif 000005
【図４】
0003146180.tif 000006